(57)【特許請求の範囲】
【請求項１】
携帯電話機の給電部に接続されたアンテナ取付部に着脱可能に取付けることができるアンテナ本体と、このアンテナ本体の上端部に取付けられた前記携帯電話機が呼び出し着信状態になると発光する着信電波の検出回路とからなる携帯電話機用アンテナにおいて、前記着信電波の検出回路は前記アンテナ本体に一端部が接続された電位差を生じさせるための第１のコイル、高周波交流を直流に変換する第１の整流ダイオードとからなる第１の着信電波の検出回路と、この第１の着信電波の検出回路の第１の整流ダイオードの他端部に一端部が接続され、他端部が第１のコイルの他端部に接続された直列接続の発光ダイオード、前記第１のコイルと異なるあるいは同一の電位差を生じさせるための第２のコイル、他端部が前記第１の整流ダイオードと発光ダイオードとの間に接続され、一端部が前記第１・第２のコイル間に接続された高周波交流を前記第１の整流ダイオードと同一あるいは異なる直流に変換する第２の整流ダイオードとからなる第２の着信電波の検出回路とで構成されていることを特徴とする携帯電話機用アンテナ。
【請求項２】
携帯電話機の給電部に接続されたアンテナ取付部に着脱可能に取付けることができるアンテナ本体と、このアンテナ本体の上端部に取付けられた前記携帯電話機が呼び出し着信状態になると発光する着信電波の検出回路とからなる携帯電話機用アンテナにおいて、前記着信電波の検出回路は前記アンテナ本体に一端部が接続された電位差を生じさせるための第１のコイル、高周波交流を直流に変換する第１の整流ダイオードとからなる第１の着信電波の検出回路と、この第１の着信電波の検出回路の第１の整流ダイオードの他端部に一端部が接続され、他端部が第１のコイルの他端部に接続された直列接続の発光ダイオード、高周波交流を直流に変換する第３の整流ダイオード、一端部が前記第１のコイルと前記第３の整流ダイオードとの間に接続され、他端部が前記第１の整流ダイオードと前記発光ダイオードとの間に接続された第２の整流ダイオードと、前記発光ダイオードに並列接続されたコンデンサーとからなる第２の着信電波の検出回路とで構成されていることを特徴とする携帯電話機用アンテナ。
【請求項３】
携帯電話機の給電部に接続されたアンテナ取付部に着脱可能に取付けることができるアンテナ本体と、このアンテナ本体の上端部に取付けられた前記携帯電話機が呼び出し着信状態になると発光する着信電波の検出回路とからなる携帯電話機用アンテナにおいて、前記着信電波の検出回路は前記アンテナ本体に接続された電位差を生じさせるための第１のコイルと、この第１のコイルに並列接続された抵抗と、この抵抗に並列接続された直列接続の発光ダイオードと高周波交流を直流に変換する第１の整流ダイオードとからなることを特徴とする携帯電話機用アンテナ。
【請求項４】
携帯電話機の給電部に接続されたアンテナ取付部に着脱可能に取付けることができるアンテナ本体と、このアンテナ本体の上端部に取付けられた前記携帯電話機が呼び出し着信状態になると発光する着信電波の検出回路とからなる携帯電話機用アンテナにおいて、前記着信電波の検出回路は前記アンテナ本体に両端部が接続された直列接続の第１の整流ダイオード、発光ダイオードおよび第３の整流ダイオードと、前記発光ダイオードに並列接続されたコンデンサーとからなることを特徴とする携帯電話機用アンテナ。
【発明の詳細な説明】
【０００１】
【発明の属する技術分野】
本発明はＴＤＭＡ方式、ＣＤＭＡ方式の携帯電話機のアンテナ取付部に着脱可能に取付けて使用することができる、呼び出し着信状態となると発光する携帯電話機用アンテナに関する。
【０００２】
【従来の技術】
従来のＴＤＭＡ方式の携帯電話機用アンテナでは呼び出し着信状態となると発光させるものがあるが、ＣＤＭＡ方式の携帯電話機は周波数特性が異なるため、呼び出し着信状態となつても発光させることができなかつた。
【０００３】
【発明が解決しようとする課題】
従来のＣＤＭＡ方式の携帯電話機用アンテナは着信状態となると発光させることができず、着信状態が分かりずらいという欠点があるとともに、ＴＤＭＡ方式とＣＤＭＡ方式との携帯電話機用アンテナが必要で、方式の合致したものに使用しなければ、その機能を発揮できないという欠点があり、製造や在庫管理に苦労するという欠点があった。
【０００４】
本発明は以上のような従来の欠点に鑑み、ＴＤＭＡ方式やＣＤＭＡ方式の携帯電話機に取付けて使用しても、着信状態になると確実に発光させて着信状態を知らせることができる携帯電話機用アンテナを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は携帯電話機の給電部に接続されたアンテナ取付部に着脱可能に取付けることができるアンテナ本体と、このアンテナ本体の上端部に取付けられた前記携帯電話機が呼び出し着信状態になると発光する着信電波の検出回路とからなる携帯電話機用アンテナにおいて、前記着信電波の検出回路は前記アンテナ本体に一端部が接続された電位差を生じさせるための第１のコイル、高周波交流を直流に変換する第１の整流ダイオードとからなる第１の着信電波の検出回路と、この第１の着信電波の検出回路の第１の整流ダイオードの他端部に一端部が接続され、他端部が第１のコイルの他端部に接続された直列接続の発光ダイオード、前記第１のコイルと異なるあるいは同一の電位差を生じさせるための第２のコイル、他端部が前記第１の整流ダイオードと発光ダイオードとの間に接続され、一端部が前記第１・第２のコイル間に接続された高周波交流を前記第１の整流ダイオードと同一あるいは異なる直流に変換する第２の整流ダイオードとからなる第２の着信電波の検出回路とで携帯電話機用アンテナを構成している。
【０００７】
また、本発明は携帯電話機の給電部に接続されたアンテナ取付部に着脱可能に取付けることができるアンテナ本体と、このアンテナ本体の上端部に取付けられた前記携帯電話機が呼び出し着信状態になると発光する着信電波の検出回路とからなる携帯電話機用アンテナにおいて、前記着信電波の検出回路は前記アンテナ本体に接続された電位差を生じさせるための第１のコイルと、この第１のコイルに並列接続された抵抗と、この抵抗に並列接続された直列接続の発光ダイオードと高周波交流を直流に変換する第１の整流ダイオードとで携帯電話機用アンテナを構成している。
【０００８】
【発明の実施の形態】
以下、図面に示す実施の形態により、本発明を詳細に説明する。
【０００９】
図１ないし図６に示す本発明の第１の実施の形態において、１はＴＤＭＡ方式の携帯電話機２やＣＤＭＡ方式の携帯電話機２Ａに取付けて使用することができる本発明の携帯電話機用アンテナで、この携帯電話機用アンテナ１は前記携帯電話機２、２Ａのアンテナ取付部３に着脱可能に螺合固定されるアンテナ支持リング４、このアンテナ支持リング４に伸縮可能に取付けられる上部寄りの部位と下部寄りの部位に、該アンテナ支持リング４と嵌合状態で接続する上・下部接続部５、６が形成された棒状のアンテナ部材７とからなるアンテナ本体８と、このアンテナ本体８のアンテナ部材７の上端部に取付けられた前記携帯電話機２あるいは２Ａが呼び出し着信状態となると発光する着信電波の検出回路９を備えるアンテナキャップ１０とで構成されている。
【００１０】
前記アンテナキャップ１０は図５に示すように、絶縁材で前記アンテナ部材７の上部外周部に形成されたねじ部１１に螺合固定される、上部が透明あるいは半透明に形成されたキャップ状に形成されている。
【００１１】
前記着信電波の検出回路９は図６に示すように、前記アンテナ本体８のアンテナ部材７に接続された電位差を生じさせるための第１のコイル１２、この第１のコイル１２に直列接続された高周波交流を直流に変換する第１の整流ダイオード１３とからなる第１の着信電波の検出回路１４と、この第１の着信電波の検出回路１４の第１の整流ダイオード１３の他端部に両端部が接続された直列接続の発光ダイオード１５、前記第１のコイル１２と異なるあるいは同一の電位差を生じさせるための第２のコイル１６および高周波交流を前記第１の整流ダイオード１３と同一あるいは異なる直流に変換する第２の整流ダイオード１７とからなる第２の着信電波の検出回路１８とで構成されている。
【００１２】
上記構成の携帯電話機用アンテナ１はＴＤＭＡ方式の携帯電話機２に取付けた場合には、該携帯電話機２が呼び出し着信状態となると第２の着信電波の検出回路１８で着信電波を受信し、発光ダイオード１５を発光させて、着信状態を知らせることができる。
また、ＣＤＭＡ方式の携帯電話機２Ａに取付けた場合には、該携帯電話機２Ａが呼び出し着信状態になると、第１の着信電波の検出回路１４と第２の着信電波の検出回路１８で着信電波を受信することにより、帯域が広くなって着信電波を確実に受信して発光ダイオード１５を発光させて、着信状態を知らせることができる。
【００１３】
【発明の異なる実施の形態】
次に、図７ないし図２３に示す本発明の異なる実施の形態につき説明する。なお、これらの本発明の異なる実施の形態の説明に当って、前記本発明の第１の実施の形態と同一構成部分には同一符号を付して重複する説明を省略する。
【００１４】
図７ないし図９に示す本発明の第２の実施の形態において、前記本発明の第１の実施の形態と主に異なる点は、４段に伸縮して使用することができる伸縮可能なアンテナ部材７Ａを使用したアンテナ本体８Ａを用いた点で、このように形成されたアンテナ本体８Ａを用いた携帯電話機用アンテナ１Ａにしても、前記本発明の第１の実施の形態と同様な作用効果が得られる。
なお、本発明の実施の形態では４段に伸縮可能なアンテナ部材７Ａを用いたものについて説明したが、これに限らず、２、３、５、６段等に伸縮できるものを用いてもよい。
【００１５】
図１０および図１１に示す本発明の第３の実施の形態において、前記本発明の第１の実施の形態と主に異なる点は着信電波の検出回路９Ａで、この着信電波の検出回路９Ａはアンテナ本体８のアンテナ部材７に一端部が接続された第１のコイル１２と第１の整流ダイオード１３とからなる第１の着信電波の検出回路１４Ａと、この第１の着信電波の検出回路１４Ａの第１の整流ダイオード１３の他端部に一端部が接続され、他端部が第１のコイル１２の他端部に接続された直列接続の発光ダイオード１５、前記第１のコイル１２と異なるあるいは同一の電位差を生じさせるための第２のコイル１６、他端部が前記第１の整流ダイオード１３と発光ダイオード１５との間に接続され、一端部が前記第１・第２のコイル１２、１６間に接続された高周波交流を前記第１の整流ダイオード１３と同一あるいは異なる直流に変換する第２の整流ダイオード１７とからなる第２の着信電波の検出回路１８Ａとで構成されている。
このように構成された着信電波の検出回路９Ａを用いた携帯電話機用アンテナ１Ｂにしても、前記本発明の第１の実施の形態と同様な作用効果が得られる。
【００１６】
図１２および図１３に示す本発明の第４の実施の形態において、前記本発明の第３の実施の形態と主に異なる点は、第１の着信電波の検出回路１４Ａの第１の整流ダイオード１３の他端部に一端部が接続され、他端部が第１のコイル１２の他端部に接続された直列接続の発光ダイオード１５、高周波交流を直流に変換する第３の整流ダイオード１９と、一端部が前記第１のコイル１２と第３の整流ダイオード１９との間に接続され、他端部が第１の整流ダイオード１３と発光ダイオード１５との間に接続された第２の整流ダイオード１７とからなる第２の着信電波の検出回路１８Ｂを用いた点で、このように構成された第２の着信電波の検出回路１８Ｂを用いた着信電波の検出回路９Ｂを使用した携帯電話機用アンテナ１Ｃにしても、前記本発明の第３の実施の形態と同様な作用効果が得られる。
【００１７】
図１４および図１５に示す本発明の第５の実施の形態において、前記本発明の第４の実施の形態と主に異なる点は、発光ダイオード１５と並列にコンデンサー２０を接続した第２の着信電波の検出回路１８Ｃを用いた点で、このように構成された第２の着信電波の検出回路１８Ｃを用いた着信電波の検出回路９Ｃを使用した携帯電話機用のアンテナ１Ｄにしても、前記本発明の第４の実施の形態と同様な作用効果が得られる。
【００１８】
図１６および図１７に示す本発明の第６の実施の形態において、前記本発明の第１の実施の形態と主に異なる点は、アンテナ本体８のアンテナ部材７に両端部が接続された直列接続の第１の整流ダイオード１３、発光ダイオード１５、第１のコイル１２と、前記第１のコイル１２に並列接続された抵抗２１とで着信電波の検出回路９Ｄを構成した点で、このように構成された着信電波の検出回路９Ｄを用いた携帯電話機用アンテナ１Ｅにしても、前記本発明の第１の実施の形態と同様な作用効果が得られる。
【００１９】
図１８および図１９に示す本発明の第７の実施の形態において、前記本発明の第６の実施の形態と主に異なる点は、アンテナ本体８のアンテナ部材７に両端部が接続された直列接続の第１の整流ダイオード１３、発光ダイオード１５、第１のコイル１２と、前記に発光ダイオード１５に並列接続されたコンデンサー２０とで着信電波の検出回路９Ｅを構成した点で、このように構成された着信電波の検出回路９Ｅを用いた携帯電話機用アンテナ１Ｆにしても、前記本発明の第６の実施の形態と同様な作用効果が得られる。
【００２０】
図２０および図２１に示す本発明の第８の実施の形態において、前記本発明の第７の実施の形態と主に異なる点は、発光ダイオード１５に直列接続の抵抗２１とコンデンサー２０を並列接続させた着信電波の検出回路９Ｆを用いた点で、このように構成された着信電波の検出回路９Ｆを用いた携帯電話機用アンテナ１Ｇにしても、前記本発明の第７の実施の形態と同様な作用効果が得られる。
【００２１】
図２２および図２３に示す本発明の第９の実施の形態において、前記本発明の第７の実施の形態と主に異なる点は、アンテナ本体８のアンテナ部材７に両端部が接続された直列接続の第１の整流ダイオード１３、発光ダイオード１５、第３の整流ダイオード１９と、前記発光ダイオード１５に並列接続されたコンデンサー２０とで着信電波の検出回路９Ｅを構成した点で、このように構成された着信電波の検出回路９Ｇを用いた携帯電話機用アンテナ１Ｈにしても、前記本発明の第７の実施の形態と同様な作用効果が得られる。
【００２２】
なお、前記本発明の第３〜第９の実施の形態では棒状のアンテナ本体８を用いるものについて説明したが、本発明はこれに限らず、第２の実施の形態で使用している伸縮可能なアンテナ部材７Ａを用いてもよく、あるいは市販されている折り曲げ部を１個あるいは２個用いたアンテナ部材を使用してもよい。
【００２３】
【発明の効果】
以上の説明から明らかなように、本発明にあっては次に列挙する効果が得られる。
【００２４】
（１）携帯電話機の給電部に接続されたアンテナ取付部に着脱可能に取付けることができるアンテナ本体と、このアンテナ本体の上端部に取付けられた前記携帯電話機が呼び出し着信状態になると発光する着信電波の検出回路とからなる携帯電話機用アンテナにおいて、前記着信電波の検出回路は前記アンテナ本体に一端部が接続された電位差を生じさせるための第１のコイル、高周波交流を直流に変換する第１の整流ダイオードとからなる第１の着信電波の検出回路と、この第１の着信電波の検出回路の第１の整流ダイオードの他端部に一端部が接続され、他端部が第１のコイルの他端部に接続された直列接続の発光ダイオード、前記第１のコイルと異なるあるいは同一の電位差を生じさせるための第２のコイル、他端部が前記第１の整流ダイオードと発光ダイオードとの間に接続され、一端部が前記第１・第２のコイル間に接続された高周波交流を前記第１の整流ダイオードと同一あるいは異なる直流に変換する第２の整流ダイオードとからなる第２の着信電波の検出回路とで構成されているので、ＴＤＭＡ方式の携帯電話機やＣＤＭＡ方式の携帯電話機が呼び出し着信状態となる第２の着信電波の検出回路の検出、第２の着信電波の検出回路と第１の着信電波の検出回路との検出によって発光ダイオードを発光させることができる。
したがって、ＴＤＭＡ方式とＣＤＭＡ方式の携帯電話機に使用することができる。
【００２５】
（２）前記（１）によって、ＴＤＭＡ方式とＣＤＭＡ方式の両方に使用することができるので、従来のように方式に対応したアンテナをそれぞれ製造しなくてもよく、製造や在庫管理が容易にできる。
【００２６】
（３）前記（１）によって、コイル、整流ダイオード、発光ダイオードを用いて着信電波の検出回路を構成するので、構造が簡単で、容易に製造することができる。
【００２７】
（４）請求項２〜４も前記（１）〜（３）と同様な効果が得られる。
【図面の簡単な説明】
【図１】本発明の第１の実施の形態の使用状態の説明図。
【図２】本発明の第１の実施の形態のアンテナ本体の動作説明図。
【図３】本発明の第１の実施の形態の正面図。
【図４】本発明の第１の実施の形態の要部拡大断面図。
【図５】本発明の第１の実施の形態のアンテナキャップの説明図。
【図６】本発明の第１の実施の形態の着信電波の検出回路の概略説明図。
【図７】本発明の第２の実施の形態の使用状態の説明図。
【図８】本発明の第２の実施の形態の収納状態の正面図。
【図９】本発明の第２の実施の形態の着信電波の検出回路の概略説明図。
【図１０】本発明の第３の実施の形態の正面図。
【図１１】本発明の第３の実施の形態の着信電波の検出回路の概略説明図。
【図１２】本発明の第４の実施の形態の正面図。
【図１３】本発明の第４の実施の形態の着信電波の検出回路の概略説明図。
【図１４】本発明の第５の実施の形態の正面図。
【図１５】本発明の第５の実施の形態の着信電波の検出回路の概略説明図。
【図１６】本発明の第６の実施の形態の正面図。
【図１７】本発明の第６の実施の形態の着信電波の検出回路の概略説明図。
【図１８】本発明の第７の実施の形態の正面図。
【図１９】本発明の第７の実施の形態の着信電波の検出回路の概略説明図。
【図２０】本発明の第８の実施の形態の正面図。
【図２１】本発明の第８の実施の形態の着信電波の検出回路の概略説明図。
【図２２】本発明の第９の実施の形態の正面図。
【図２３】本発明の第９の実施の形態の着信電波の検出回路の概略説明図。
【符号の説明】
１、１Ａ〜１Ｈ：携帯電話機用アンテナ、
２：ＴＤＭＡ方式の携帯電話機、
２Ａ：ＣＤＭＡ方式の携帯電話機、
３：アンテナ取付部、    ４：アンテナ支持リング、
５：上部接続部、        ６：下部接続部、
７、７Ａ：アンテナ部材、８、８Ａ：アンテナ本体、
９、９Ａ〜９Ｇ：着信電波の検出回路、
１０：アンテナキャップ、１１：ねじ部、
１２：第１のコイル、    １３：第１の整流ダイオード、
１４、１４Ａ：第１の着信電波の検出回路、
１５：発光ダイオ−ド、  １６：第２のコイル、
１７：第２の整流ダイオ−ド、
１８、１８Ａ〜１８Ｃ：第２の着信電波の検出回路、
１９：第３の整流ダイオ−ド、
２０：コンデンサ−、    ２１：抵抗。
【図１】
0003614715.tif 000002
【図２】
0003614715.tif 000003
【図３】
0003614715.tif 000004
【図４】
0003614715.tif 000005
【図５】
0003614715.tif 000006
【図６】
0003614715.tif 000007
【図７】
0003614715.tif 000008
【図８】
0003614715.tif 000009
【図９】
0003614715.tif 000010
【図１０】
0003614715.tif 000011
【図１１】
0003614715.tif 000012
【図１２】
0003614715.tif 000013
【図１３】
0003614715.tif 000014
【図１４】
0003614715.tif 000015
【図１５】
0003614715.tif 000016
【図１６】
0003614715.tif 000017
【図１７】
0003614715.tif 000018
【図１８】
0003614715.tif 000019
【図１９】
0003614715.tif 000020
【図２０】
0003614715.tif 000021
【図２１】
0003614715.tif 000022
【図２２】
0003614715.tif 000023
【図２３】
0003614715.tif 000024